(57)【特許請求の範囲】
【請求項１】
遊技盤に形成された遊技領域を流下する遊技球が通過可能な遊技球通路と、該遊技領域の上方に向かって開口する入球口が該遊技盤に設けられており、該遊技盤を遊技者から見て前後方向の一方もしくは左右方向の一方に向けて開口する該遊技球通路の出口が該入球口の直上に位置せしめられているパチンコ機において、
前記遊技球通路の出口側端部には、
前記遊技球の中心よりも下側の位置で前記遊技球通路の出口の通路幅方向に対応する該遊技球の左右方向の両側から該遊技球を接触する一対の固定接触部と、
前記遊技球の中心よりも上側の位置で接触するとともに、該遊技球が通過することにより押し上げられる可動接触部と
が、配置されており、
前記遊技球は、前記一対の固定接触部と前記可動接触部とによって三点が同時に接触された状態を経て前記遊技球通路の出口から排出されることを特徴とするパチンコ機。
【請求項２】
前記一対の固定接触部における前記遊技球通路の通路幅方向での離隔距離が該遊技球通路の入口から出口へ行くに従って次第に短くされている請求項１に記載のパチンコ機。
【請求項３】
前記可動接触部が揺動可能に設けられていると共に、該可動接触部に錘が設けられており、更に、該可動接触部の揺動中心軸線と該錘との離隔距離を変更する錘位置調節機構が設けられている請求項１又は２に記載のパチンコ機。
【発明の詳細な説明】
【技術分野】
【０００１】
本発明は、遊技盤に形成された遊技領域を流下する遊技球が通過可能な遊技球通路が遊技盤に設けられたパチンコ機に関するものである。
【背景技術】
【０００２】
パチンコ機は、遊技盤に形成された遊技領域に設けられている各種入賞装置に遊技球を入賞させることを目的として遊技をするものである。
【０００３】
ところで、遊技領域には、遊技領域を流下する遊技球の流下方向に変化をもたせること等を目的として、入賞装置の他に、遊技釘や各種の役物等が設けられている。そして、役物の一つとして、特許文献１にも示されているように、遊技領域に設けられた液晶表示装置の表示画面を取り囲むように配される額縁乃至は枠体形状のセンター役物が知られている。
【０００４】
かかるセンター役物には、特許文献１にも示されているように、遊技領域を流下する遊技球を転動ステージへ誘導するワープ通路が形成されていると共に、転動ステージ上を転動する遊技球が遊技領域においてセンター役物の真下に設けられた始動入賞装置へ入賞し易くなる遊技球通路が形成されている。
【０００５】
そこにおいて、遊技球通路は、遊技球が途中で引っ掛かって詰まらないようにするために、遊技球と遊技球通路の壁面との間に僅かに隙間ができる断面形状で延びるように形成されている。
【０００６】
ところで、このように遊技球と遊技球通路の壁面との間に僅かな隙間が形成されている場合、遊技球が遊技球通路を通過する際に通路幅方向でぶれることにより、遊技球が通路幅方向の何れか一方へ偏った状態で遊技球通路から排出されるおそれがあり、遊技球通路の出口から排出された遊技球が始動入賞装置に入賞し難くなるという問題がある。
【０００７】
そこで、このような問題に対処するために、特許文献１にも記載されているように、遊技球通路内での遊技球の通路幅方向のぶれを防止する一対のガイドレールを設けることが提案されている。
【０００８】
しかしながら、ただ単に遊技球通路内に一対のガイドレールを設けるだけでは、遊技球の通路幅方向でのぶれを防止することができず、遊技球を所定の位置に排出させることが難しいという問題があった。
【０００９】
すなわち、特許文献１に示されているように、遊技球通路の底面に一対のガイドレールを立設した場合、遊技球は一対のガイドレール上を転動することによって所定の排出位置へ誘導されることとなるが、転動ステージ上を転動する遊技球は、様々な方向から様々な勢いで遊技球通路に入ってくることから、遊技球通路に入ってきた遊技球が一対のガイドレールに対して正しい位置に載るとは限らない。それ故、ただ単に一対のガイドレールを設けても、遊技球を所定の位置へ排出させることは難しいのである。
【００１０】
【特許文献１】特開２００４−１９４７１７号公報
【発明の開示】
【発明が解決しようとする課題】
【００１１】
ここにおいて、本発明は、上述の如き事情を背景として為されたものであって、その解決課題とするところは、遊技球通路から排出される遊技球が所定の入球口に入球し易くすることが出来る、新規な構造のパチンコ機を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。
【００１３】
本発明は、遊技盤に形成された遊技領域を流下する遊技球が通過可能な遊技球通路と、遊技領域の上方に向かって開口する入球口が遊技盤に設けられており、遊技盤を遊技者から見て前後方向の一方もしくは左右方向の一方に向けて開口する遊技球通路の出口が入球口の直上に位置せしめられているパチンコ機において、遊技球通路の出口側端部には、遊技球の中心よりも下側の位置で遊技球通路の出口の通路幅方向に対応する遊技球の左右方向の両側から遊技球と接触する一対の固定接触部と、遊技球の中心よりも上側の位置で遊技球に接触するとともに、遊技球が通過することにより押し上げられる可動接触部とが配置されており、遊技球は、一対の固定接触部と可動接触部とによって三点が同時に接触された状態を経て遊技球通路の出口から排出されることを、特徴とする。
【００１４】
このような本発明に従う構造とされたパチンコ機においては、遊技球通路の出口から排出される遊技球は、一対の固定接触部と可動接触部とによって三点が同時に接触された状態を経るようになっていることから、遊技球通路の出口から排出される段階において、遊技球通路の通路幅方向や上下方向での遊技球の揺れを抑えることが可能となる。
【００１５】
従って、本発明に係るパチンコ機では、遊技球通路を通過する遊技球の遊技球通路からの排出位置を所定の位置に設定して、遊技球通路から排出される遊技球が所定の入球口へ入球し易くなるようにすることが可能となる。
【００１６】
なお、本発明において、「遊技球通路が遊技盤に設けられている」とは、遊技盤に取り付けられる役物に遊技球通路が設けられている場合も含む。また、遊技球通路から排出される遊技球が入球する入球口は、遊技領域に設けられていても良いし、遊技球通路が遊技盤に取り付けられた役物に設けられている場合には、役物に設けられていても良い。。
【００１７】
また、本発明においては、一対の固定接触部における遊技球通路の通路幅方向での離隔距離が遊技球通路の入口から出口へ行くに従って次第に短くされていることが望ましい。これにより、遊技球通路に入ってきた遊技球と固定接触部との間に形成される隙間を、遊技球通路の出口側よりも入口側のほうが大きくなるようにすることが可能となる。その結果、遊技球通路に入ってきた遊技球が遊技球通路の入口付近で固定接触部に接触して勢いがなくなってしまうことを有利に回避することが可能となる。
【００１８】
さらに、本発明においては、可動接触部が揺動可能に設けられていると共に、可動接触部に錘が設けられており、更に、可動接触部の揺動中心軸線と錘との離隔距離を変更する錘位置調節機構が設けられていることが望ましい。これにより、遊技球通路の底面の傾斜角度等に応じて、可動接触部が遊技球に及ぼす力を調節することが可能となる。その結果、遊技球通路の上下方向での遊技球の揺れを一層有利に抑えることが可能となる。
【発明を実施するための最良の形態】
【００１９】
以下、本発明を更に具体的に明らかにするために、本発明の実施形態について、図面を参照しつつ、詳細に説明する。
【００２０】
先ず、図１には、本発明の一実施形態としてのパチンコ機１０が示されている。パチンコ機１０において機体の外郭を為す外枠１２の開口前面側には、縦長方形の中枠１４が開閉及び着脱自在に組み付けられている。この中枠１４には、後述する遊技領域２８が形成された遊技盤１６（図２参照）が着脱自在に組み付けられており、かかる遊技領域２８は、中枠１４に対して開閉可能に組み付けられた前枠１８によって保持されている透明板を通して遊技者に視認されるようになっている。そして、中枠１４に設けられた操作ハンドル２０に対して回動可能に装着された操作レバー２２を遊技者が回動操作することにより、中枠１４に設けられた発射球貯留皿２４に貯留されている遊技球が、図示しない球送り機構を介して発射装置（図示せず）に送られた後、遊技領域２８に向けて発射されるようになっている。
【００２１】
続いて、中枠１４に組み付けられている遊技盤１６について、図２に基づいて、説明する。この遊技盤１６は、遊技板２５の表面側にレールセット２６が設けられた構造とされており、かかるレールセット２６によって略円形の遊技領域２８が区画形成されている。
【００２２】
このようにして形成された遊技領域２８には、センター役物３０が設けられている。このセンター役物３０は、図３及び図４にも示されているように、全体として額縁乃至は枠体形状とされており、その中心孔を通じて遊技盤１６に取り付けられた液晶表示装置３２の表示画面が遊技者に視認可能とされている。
【００２３】
また、センター役物３０には、ワープ通路３４が形成されており、遊技領域２８を流下する遊技球がワープ通路３４の入口に入球可能とされている。そして、ワープ通路３４の入口に入った遊技球は、ワープ通路３４を通ることにより、センター役物３０の下端内周縁部に形成された転動ステージ３６へと誘導されてくるようになっている。
【００２４】
そこにおいて、本実施形態の転動ステージ３６は、上段ステージ３８と下段ステージ４０で構成されている。上段ステージ３８は、左右方向に延びるように形成されており、特に本実施形態では、左右方向の中央部分が手前側へ凸となるように、緩やかに円弧状に湾曲して形成されている。そして、このように形成された上段ステージ３８の左端に、ワープ通路３４の出口が位置せしめられている。即ち、ワープ通路３４を通ってきた遊技球は、上段ステージ３８に誘導されるようになっているのである。なお、上段ステージ３８は、左右方向の中央部分が最も低くなるように形成されており、それによって、上段ステージ３８を転動する遊技球は、上段ステージ３８の左右方向中央へ誘導されてくるようになっている。
【００２５】
また、上段ステージ３８の左右方向中央には、後方へ緩やかに下る誘導傾斜面４２（図６参照）が形成されており、かかる誘導傾斜面４２の更に奥側には、入球した遊技球を下段ステージ４０へ誘導する中央排出穴４４が形成されている。更にまた、中央排出穴４４よりも手前側であって、かつ、中央排出穴４４の左右両側の位置には、下段ステージ４０へ遊技球を誘導する誘導スロープ４６，４８が形成されている。これにより、上段ステージ３８へ誘導されてきた遊技球は、中央排出穴４４と誘導スロープ４６，４８の何れかを通って、下段ステージ４０へ誘導されるようになっている。
【００２６】
この下段ステージ４０は、左右方向に延びており、特に本実施形態では、その左右方向の寸法は、上段ステージ３８の左右方向の寸法と略同じとされている。また、下段ステージ４０の前方端には、下段ステージ４０の左右方向中央部分を除いた位置において、下段ステージ４０の左右方向に沿って延びる落下防止壁５０，５０が設けられている。更にまた、下段ステージ４０は、左右方向中央部分が最も低くなるように形成されている。これにより、下段ステージ４０を転動する遊技球は、左右方向中央部分に誘導されてきた後、落下防止壁５０，５０の間を通って、遊技領域２８へ排出されるようになっている。
【００２７】
さらに、本実施形態の下段ステージ４０は、その左右方向中央部分の奥行寸法が、下段ステージ４０の左右方向中央へ行くに従って次第に大きくなっている。そして、下段ステージ４０の左右方向中央の奥に、中央排出穴４４の出口が位置せしめられている。
【００２８】
更にまた、下段ステージ４０の左右方向中央奥に位置する中央排出穴４４の出口よりも手前側であって、且つ、左右方向中央部分よりも左右方向の外方へ外れた位置において、誘導スロープ４６，４８の下流端が位置せしめられている。そして、誘導スロープ４６，４８を下ってきた遊技球は、誘導スロープ４６，４８の下流端に設けられたガイド突起５２，５４によって、下段ステージ４０へ誘導されるようになっている。即ち、誘導スロープ４６，４８を通って下段ステージ４０へ誘導される遊技球は、中央排出穴４４を通って下段ステージ４０へ誘導されてくる場合とは異なる位置に誘導されてくるようになっているのである。
【００２９】
また、下段ステージ４０には、遊技球通路５６が設けられている。この遊技球通路５６は、図５及び図６に示されているように、一対の側壁５８，５８が上段ステージ３８と下段ステージ４０の間に立設されることで形成されている。換言すれば、上段ステージ３８の一部によって遊技球通路５６の天井が形成されていると共に、下段ステージ４０の転動面の一部によって遊技球通路５６の底面６０が形成されているのである。
【００３０】
特に本実施形態では、下段ステージ４０の奥行方向中間部分から手前側の縁に亘って、一対の側壁５８，５８が設けられており、各側壁５８の前方端（遊技球通路５６の下流端）が一対の落下防止壁５０，５０の間に位置せしめられている。これにより、中央排出穴４４を通って下段ステージ４０へ誘導されてきた遊技球のみが、遊技球通路５６を通過できるようになっている。
【００３１】
そこにおいて、遊技球通路５６には、一対の固定接触部としての一対のガイドリブ６２，６２が設けられており、特に本実施形態では、これら一対のガイドリブ６２，６２は、それぞれ、一方の側壁５８から互いに対向位置せしめられた他方の側壁５８に向かって突出して、遊技球通路５６の通路方向の全長に亘って延びるように形成されている。これにより、遊技球通路５６を通過する遊技球は、遊技球通路５６の出口から排出されるまでの間、一対のガイドリブ６２，６２に接触するようになっている。また、各ガイドリブ６２の突出高さは、遊技球通路５６の入口から出口まで略同じ高さに設定されている。
【００３２】
さらに、一対のガイドリブ６２，６２は、それぞれ、遊技球通路５６を通過する遊技球に対して、その中心よりも下側、即ち、遊技球通路５６の底面６０側で接触するように、遊技球通路５６の底面６０からの高さ位置が設定されている（図８参照）。これにより、製造時の寸法誤差で遊技球が大きさが異なったとしても、遊技球が一対のガイドリブ６２，６２の間に挟まってしまう不具合を有利に回避することが可能となる。即ち、遊技球が僅かに大きい場合には、遊技球が一対のガイドリブ６２，６２に乗り上げることにより、遊技球が一対のガイドリブ６２，６２の間に挟まってしまう不具合を回避することが出来るようになっているのである。
【００３３】
また、本実施形態では、各ガイドリブ６２の遊技球通路５６の底面６０からの高さ位置は、遊技球通路５６の入口側よりも出口側のほうが高くされている。これにより、遊技球通路５６に入ってきた際の位置決め、即ち、遊技球通路５６を通過する初期の段階での位置決めを緩やかにすることが可能となる。その結果、遊技球通路５６に侵入してくる遊技球の速さを極端に落とすことがなくなり、遊技球通路５６を通過する遊技球の速さを有利に確保することが可能となる。
【００３４】
すなわち、各ガイドリブ６２の遊技球通路５６の底面６０からの高さ寸法が遊技球通路５６の入口側よりも出口側のほうが高くされていると共に、各ガイドリブ６２が、遊技球通路５６を通過する遊技球に対して、その中心よりも遊技球通路５６の底面６０側で接触するようにされていることにより、各ガイドリブ６２と遊技球との間に形成される隙間が、遊技球通路５６の入口側のほうが出口側のほうよりも大きくされている。その結果、遊技球が遊技球通路５６の入口近くでガイドリブ６２に接触してしまうことにより、遊技球が遊技球通路５６の入口付近で勢いをなくしてしまうことを有利に回避することが可能となるのである。
【００３５】
更にまた、本実施形態では、各ガイドリブ６２の突出端面は、突出端側へ行くに従って次第に遊技球通路５６の底面６０側へ行く傾斜面とされている。これにより、遊技球通路５６を通過する遊技球は各ガイドリブ６２の突出端面に接触するようになっている。その結果、ガイドリブ６２の角に遊技球が接触する場合に比して、一対のガイドリブ６２，６２による遊技球の誘導を安定して行うことが可能となる。
【００３６】
また、遊技球通路５６の天井近くには、図５及び図６にも示されているように、可動接触部としての可動ガイド片６４が一軸回りに回動可能な状態で設けられている。この可動ガイド片６４は、平面視で略扇形乃至は二等辺三角形状を有する厚肉板状部材とされており、幅方向寸法が長手方向一方から他方へ行くに従って次第に短くされているのである。
【００３７】
このような形状とされた可動ガイド片６４は、幅寸法が短いほうの端部（以下、幅狭側端部と称する）において厚さ方向に貫通形成された挿通孔に対して、遊技球通路５６の天井近くにおいて遊技球通路５６の通路幅方向に延びるように設けられた支軸６８が挿通配置されることにより、支軸６８回りに揺動可能な状態で配設されている。なお、本実施形態では、支軸６８の遊技球通路５６の底面６０からの高さ位置は、遊技球通路５６を通過する遊技球の直径よりも十分に大きくされている。これにより、遊技球通路５６を通過する遊技球が可動ガイド片６４の幅狭側端部に接触して、遊技球通路５６内で止まってしまうことが回避され得るようになっている。
【００３８】
また、上述の如く可動ガイド片６４が支軸６８回りで揺動可能に配設された状態で、可動ガイド片６４の幅寸法が長いほうの端部（以下、幅広側端部と称する）において厚さ方向両側に突出するように設けられたストッパ突起７０，７０が、遊技球通路５６の天井近くにおいて遊技球通路５６の通路幅方向に開口形成されたガイド孔７２，７２内に位置せしめられている。なお、可動ガイド片６４に設けられたストッパ突起７０，７０は、可動ガイド片６４において自由端側となる幅広側端部が重力の作用で下がることにより、ガイド孔７２，７２の下端側の内周面に当接しており、それによって、可動ガイド片６４の揺動方向の一端が規定されている。
【００３９】
上述の説明から明らかなように、本実施形態では、可動ガイド片６４は、自由端となる幅広側端部が支軸６８よりも遊技球通路５６の下流側に位置する状態で、支軸６８回りに揺動可能とされているのである。特に本実施形態では、ガイド孔７２，７２が遊技球通路５６の高さ方向に延びるように開口形成されていることから、可動ガイド片６４は、遊技球通路５６の高さ方向に揺動可能とされている。
【００４０】
また、上述の如く、可動ガイド片６４が揺動方向一端側に位置せしめられた状態では、可動ガイド片６４における幅広側端部の下側角部と遊技球通路５６の底面６０との離隔距離は、遊技球の直径よりも僅かに小さくされている。これにより、遊技球通路５６を通過する遊技球が、可動ガイド片６４に対して、幅狭側端部のほうから幅広側端部の下側角部に接触するようになっている。そして、可動ガイド片６４に接触した遊技球は、遊技球通路５６の出口から排出されるまでの間、可動ガイド片６４を押し上げ続けるようになっている。
【００４１】
また、遊技領域２８には、センター役物３０に形成された遊技球通路５６の出口の真下において、所定の入球口としての始動入賞装置７４が設けられている。そして、遊技球通路５６の出口から排出されて始動入賞装置７４に入賞した遊技球が始動入賞装置７４内に形成された排出路上に配設された始動入賞スイッチ（図示せず）によって検出されると、液晶表示装置３２の表示画面において複数の図柄の変動表示が開始されるようになっている。なお、始動入賞スイッチによって検出された遊技球は、遊技盤１６の裏側に排出されるようになっている。
【００４２】
また、遊技領域２８には、始動入賞装置７４の下方に位置して、特別可動入賞装置７８が設けられている。この特別可動入賞装置７８は、横長の台板によって遊技盤１６に固定されており、かかる台板の長手方向中央部分に形成された入口を覆い隠すように配された扉８０がソレノイド（図示せず）への通電に基づいて開作動されるようになっている。
【００４３】
そして、本実施形態では、液晶表示装置３２の表示画面において、複数の図柄が大当たり図柄組み合わせで停止表示された場合に、ソレノイドへの通電が行われて、扉８０が開作動されるようになっており、その結果、入口が開放されて、特別可動入賞装置７８への遊技球の入賞が可能となる大当たり遊技状態が発生するようになっている。
【００４４】
上述の如き構造とされたパチンコ機１０においては、遊技者が操作レバー２２を回動操作することによって発射された遊技球が遊技領域２８を流下する際に、センター役物３０のワープ通路３４の入口に入球すると、ワープ通路３４を通って上段ステージ３８へ誘導されてくる。そして、上段ステージ３８へ誘導されてきた遊技球は、上段ステージ３８を転動した後、中央排出穴４４に入球すると、下段ステージ４０に設けられた遊技球通路５６を通過することがある。
【００４５】
そこにおいて、遊技球通路５６を通過する遊技球８２は、図７及び図８に示されているように、遊技球通路５６を構成する一対の側壁５８，５８に設けられた一対のガイドリブ６２，６２によって遊技球通路５６の通路幅方向での位置、即ち、遊技球８２の左右方向での位置が規定された状態で、遊技球通路５６を上流側から下流側へ転がるようになっている。そして、図７及び図８に示されているように、遊技球通路５６を通過する遊技球８２が可動ガイド片６４に接触して、可動ガイド片６４が遊技球通路５６を通過する遊技球８２によって押し上げられる、即ち、遊技球通路５６の下流側へ押されながら遊技球通路５６の天井側へ持ち上げられることにより、可動ガイド片６４の自重が遊技球８２に作用して、遊技球８２が遊技球通路５６の底面６０側へ押されることとなる。
【００４６】
従って、上述の如き構造とされたパチンコ機１０においては、遊技球通路５６の出口から排出される遊技球８２は、一対のガイドリブ６２，６２と可動ガイド片６４とにより３点で接触された状態を経るようになっていることから、遊技球通路５６の上下左右方向での遊技球８２の揺れを抑えることが可能となり、その結果、遊技球通路５６の出口から排出される遊技球８２の始動入賞装置７４への入賞を安定化させることが可能となる。
【００４７】
以上、本発明の一実施形態について詳述してきたが、これはあくまでも例示であって、本発明は、かかる実施形態における具体的な記載によって、何等、限定的に解釈されるものではない。
【００４８】
例えば、前記実施形態では、各ガイドリブ６２の側壁５８からの突出高さは、遊技球通路５６の入口から出口まで略同じ高さに設定されていたが、図９に示されているように、各ガイドリブ６２の側壁５８からの突出高さを、遊技球通路５６の入口から出口へ行くに従って次第に大きくするようにしても良い。これにより、一対のガイドリブ６２，６２の間の離隔距離が遊技球通路５６の入口から出口へ行くに従って次第に短くなる。換言すれば、各ガイドリブ６２と遊技球との間に形成される隙間が遊技球通路５６の入口側から出口側へ行くに従って徐々に狭くなるようにされているのである。その結果、一対のガイドリブ６２，６２の間を通ることで出口へ誘導される遊技球の通路幅方向での位置決めを、遊技球通路５６を通過する初期段階では緩やかに行って、遊技球通路５６を通過する遊技球の速さを有利に確保しつつ、遊技球通路５６から排出される最終段階では確実に行って、遊技球通路５６から排出される遊技球の始動入賞装置７４への入賞を安定化させることが有利に実現され得ることとなる。なお、理解を容易にするために、図９では、前記実施形態と同様な構造とされた部材及び部位については、前記実施形態と同一の符号を付してある。
【００４９】
また、可動ガイド片６４として、図１０に示されているように、可動ガイド片６４に設けられたガイド突部８４に沿って移動可能に組み付けられた錘８６を備えたものを採用するようにしても良い。この場合、錘８６は、可動ガイド片６４においてガイド突部８４に沿って山状部分８８と谷状部分９０を繰り返す位置決め波状部９２の谷状部分９０に入り込む突起９４を備えていることが望ましい。これにより、錘８６の突起９４が位置決め波状部９２の谷状部分９０に入り込むことによって、錘８６の挿通孔からの離隔距離、即ち、錘８６と可動ガイド片６４の揺動中心軸となる支軸（６８）との離隔距離を変更することが可能となる。その結果、遊技球通路５６の傾斜角度等に応じて、錘８６の位置を変更することにより、可動ガイド片６４が遊技球に及ぼす力を調節することが可能となり、可動ガイド片６４による遊技球の位置決め作用を安定して発揮させることが可能となる。なお、このことから明らかなように、本実施形態では、錘８６の突起９４と位置決め波状部９２の谷状部分９０によって、錘位置調節機構が構成されている。また、理解を容易にするために、図１０では、前記実施形態と同様な構造とされた部材及び部位については、前記実施形態と同一の符号を付してある。
【００５０】
また、前記実施形態において、一対のガイドリブ６２，６２が、それぞれ、遊技球通路５６の底面６０に突設されていても良い。
【００５１】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００５２】
【図１】本発明の一実施形態としてのパチンコ機を示す正面図。
【図２】同パチンコ機に採用されている遊技盤を示す正面図。
【図３】同遊技盤に設けられたセンター役物を示す正面図。
【図４】同センター役物の斜視図。
【図５】図３の要部拡大図。
【図６】図３におけるＶＩ−ＶＩ方向の要部拡大断面図。
【図７】可動ガイド片に遊技球が接触した状態を拡大して示す断面図。
【図８】可動ガイド片に遊技球が接触した状態を拡大して示す斜視図。
【図９】本発明で採用可能な一対のガイドリブの他の態様を説明するための横断面図。
【図１０】本発明において採用可能な可動ガイド片の他の態様を示す側面図。
【符号の説明】
【００５３】
１０：パチンコ機，１６：遊技盤，２８：遊技領域，３０：センター役物，５６：遊技球通路，６０：底面，６２：ガイドリブ，６４：可動ガイド片，７６：ガイド孔，８２：遊技球
【図１】
0004998856.tif 000002
【図２】
0004998856.tif 000003
【図３】
0004998856.tif 000004
【図４】
0004998856.tif 000005
【図５】
0004998856.tif 000006
【図６】
0004998856.tif 000007
【図７】
0004998856.tif 000008
【図８】
0004998856.tif 000009
【図９】
0004998856.tif 000010
【図１０】
0004998856.tif 000011